(57)【要約】【課題】扱胴で発生した被処理物を確実に処理胴へと投入することにより、処理効率を向上させた脱穀装置を提供する。【解決手段】扱胴１６は、略水平に設定された回転軸１７を中心として上扱ぎ式に回転するとともに、外周に複数の扱歯２２を有する。処理胴３０は、扱胴１６の回転軸１７と略平行で、かつ回転軸１７よりも低い位置に設定された回転軸３２を中心として回転するとともに、外周に複数の処理歯３３を有する。案内部６３は、扱胴１６で発生した被処理物を、その上面（案内面６３ａ）で受けとめて処理胴３０に向けて案内する。【選択図】図３
2013046590.tif 000002
【特許請求の範囲】
【請求項１】
略水平に設定された回転軸を中心として上扱ぎ式に回転するとともに、外周に複数の扱歯を有する扱胴と、
前記扱胴の回転軸と略平行で、かつ前記扱胴の回転軸よりも低い位置に設定された回転軸を中心として回転するとともに、外周に複数の処理歯を有する処理胴と、
前記扱胴で発生した被処理物を、その上面で受けとめて前記処理胴に向けて案内する案内部と、
を備えることを特徴とする脱穀装置。
【請求項２】
請求項１に記載の脱穀装置であって、
前記案内部は、前記処理胴の外周よりも高い位置に配置されており、
前記案内部の上面は、前記処理胴側の端部が、前記扱胴側の端部よりも低い位置となるように、斜めに配置されていることを特徴とする脱穀装置。
【請求項３】
請求項１又は２に記載の脱穀装置であって、
前記扱胴と前記処理胴との間に配置された仕切板を備え、
前記案内部の上面は、前記処理胴側の端部が、前記仕切板の上端部分に接続するように配置されていることを特徴とする脱穀装置。
【発明の詳細な説明】
【技術分野】
【０００１】
本発明は、扱胴に併設して処理胴を備える脱穀装置において、扱胴で発生した被処理物を処理胴へと案内する構成に関する。
【背景技術】
【０００２】
特許文献１は、穀稈を脱穀するために回転する扱胴を備えた扱室と、この扱室に隣接して設けられた処理室と、を備えた構成の脱穀装置を開示している。特許文献１が開示する脱穀装置において、扱室内で発生した被処理物は、扱胴の回転によって処理室に投入される。
【０００３】
この処理室内には、外周に多数の処理歯を備えて回転する処理胴が、前記扱胴と略平行に配設されている。特許文献１に記載の脱穀装置は、処理室内に投入された被処理物を、処理胴の回転によって粉砕処理する構成である。
【先行技術文献】
【特許文献】
【０００４】
【特許文献１】特開２００２−１１２６１８号公報
【発明の概要】
【発明が解決しようとする課題】
【０００５】
特許文献１のように構成された脱穀装置では、扱胴で発生した被処理物の全量が処理室で処理されることが理想的である。しかしながら、扱胴から放出された被処理物の全量を処理室に投入することは困難であり、現実には、扱室で発生した被処理物の一部が、処理室に投入されることなく扱胴と処理胴の間を通って落下してしまう。処理室に投入されなかった被処理物は、未処理のまま落下してしまうので、装置全体の処理効率低下につながる。
【０００６】
本発明は以上の事情に鑑みてされたものであり、その目的は、扱胴で発生した被処理物を確実に処理胴へと案内することにより、処理効率を向上させた脱穀装置を提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成の脱穀装置が提供される。即ち、この脱穀装置は、扱胴と、処理胴と、案内部と、を備える。前記扱胴は、略水平に設定された回転軸を中心として上扱ぎ式に回転するとともに、外周に複数の扱歯を有する。前記処理胴は、前記扱胴の回転軸と略平行で、かつ前記扱胴の回転軸よりも低い位置に設定された回転軸を中心として回転するとともに、外周に複数の処理歯を有する。前記案内部は、前記扱胴で発生した被処理物を、その上面で受けとめて前記処理胴に向けて案内する。
【０００９】
このように案内部を設けることにより、扱胴で発生した被処理物を、未処理のまま落下する前に受けとめて、処理胴まで案内することができる。これにより、被処理物が処理胴で処理されないまま落下することを防止できるので、脱穀装置の処理効率を向上させることができる。
【００１０】
上記の脱穀装置は、以下のように構成されることが好ましい。即ち、前記案内部は、前記処理胴の外周よりも高い位置に配置される。また、前記案内部の上面は、前記処理胴側の端部が、前記扱胴側の端部よりも低い位置となるように、斜めに配置される。
【００１１】
このように、案内部を、処理胴に向けて斜めに配置することにより、当該案内部の上面で受けとめた被処理物を、処理胴に向けて自然に案内することができる。
【００１２】
上記の脱穀装置は、以下のように構成されることが好ましい。即ち、この脱穀装置は、前記扱胴と前記処理胴との間に配置された仕切板を備える。前記案内部の上面は、前記処理胴側の端部が、前記仕切板の上端部分に接続するように配置されている。
【００１３】
このように仕切板を設けることにより、処理胴から扱胴に向けて被処理物が飛び出しにくくなるので、処理胴の処理効率を向上させることができる。なお、このように仕切板を設けた場合、扱胴から処理胴へと向かう被処理物の通路が狭くなってしまうが、案内面の上面を上記のように配置したことで、当該上面によって案内される被処理物は仕切板の上方を通過できる。従って、被処理物を処理胴に対して確実に供給することができる。
【図面の簡単な説明】
【００１４】
【図１】本発明の一実施形態に係る脱穀装置の全体的な構成を示す側面図。
【図２】脱穀装置の内部を示す側面断面図。
【図３】脱穀装置の正面断面図。
【図４】脱穀装置の平面断面図。
【図５】扱歯の斜視図。
【発明を実施するための形態】
【００１５】
次に、図面を参照して本発明の実施の形態を説明する。図１から図４に示すように、脱穀装置１０の側面には、穀稈搬送機構１１が配置されている。この穀稈搬送機構１１は、穀稈搬送チェーン１２と、押圧部材１３（図３）と、を主に備えている。
【００１６】
穀稈搬送チェーン１２は、図１に示すように、無端環状に構成され、スプロケットの回転によって循環駆動されるように構成されている。押圧部材１３は、図３に示すように、穀稈搬送チェーン１２の上面に対して押圧されるように構成されている。これにより、図３に示すように、穀稈１４の根元部分を、穀稈搬送チェーン１２の上面と押圧部材１３との間に挟み込んで保持することができる。そして、この状態で穀稈搬送チェーン１２を循環駆動することにより、前記穀稈１４を所定方向に搬送する構成である。なお以下の説明で、穀稈搬送機構１１によって穀稈が搬送される方向を、単に搬送方向と呼ぶ。
【００１７】
脱穀装置１０内には、穀稈の脱穀を行う空間である扱室１５が形成されている。扱室１５内には、回転することにより脱穀を行う扱胴１６が配置されている。穀稈１４が穀稈搬送機構１１によって搬送されることにより、当該穀稈１４の穂先１４ａは、扱室１５内を通過する。このとき、回転する扱胴１６によって、穀稈１４の脱穀が行われる。なお、図４に示すように、穀稈搬送チェーン１２は、平面視で扱胴１６の回転軸１７と略平行に配設されている。従って、穀稈１４は、扱胴１６の回転軸１７に沿うようにして搬送される。
【００１８】
扱胴１６による脱穀が完了した穀稈（排藁）は、穀稈搬送機構１１の下流側端部において、排藁搬送機構１８（図１及び図４）に受け渡される。この排藁搬送機構１８は、図４に示すように、排藁搬送チェーン１９と、係止搬送ベルト２０と、を並列して設けた構成である。排藁搬送チェーン１９は、無端環状のチェーンとして構成され、循環駆動されることにより、その下面で排藁の根元部分を搬送するように構成されている。係止搬送ベルト２０は、一定間隔でタイン（図略）が配置された無端環状ベルトであり、当該係止搬送ベルト２０を循環駆動することにより、穀稈の穂先部分をタインによって係止しつつ搬送する構成である。
【００１９】
図１に示すように、排藁搬送機構１８の下方には、排藁処理部２１が配置されている。この排藁処理部２１は、排藁を細かく切断するための排藁カッター、切断された排藁を機外に排出するための拡散装置などを備えている。排藁搬送機構１８によって搬送される排藁は、排藁処理部２１に順次投入され、細かく裁断された後、圃場に均一に放出される。
【００２０】
次に、穀稈を脱穀するための構成について詳しく説明する。
【００２１】
扱胴１６は、金属板にて略八角形柱状の中空状筒体として構成されており、その回転軸１７が装置前後方向に沿って略水平に配置されている。扱胴１６の外周には、複数の扱歯２２が外向きに突出するように設けられている。
【００２２】
図２等に示すように、扱歯２２は、扱胴１６の回転軸１７と平行な方向に並んで複数設けられている。図５に示すように、各扱歯２２は、当該扱歯２２同士が並ぶ方向に対して平行な平面を構成するように、扁平な形状に形成されている。また図５に示すように、扱歯２２の先端部は、先端に向かって幅が狭まる略Ｖ字状に構成されている。従って、隣接する扱歯２２同士の間は、先端に向かって幅が広がるＶ型溝２３が形成されている。また、Ｖ型溝２３の奥には、丸型（又は多角形）の抜き孔２４が、前記Ｖ型溝２３に連通するように形成されている。
【００２３】
穀稈搬送機構１１によって扱室１５内を搬送される穀稈１４は、扱歯２２と扱歯２２の間の部分（Ｖ型溝２３及び抜き孔２４）に嵌まり込む。この状態で扱胴１６が回転することにより、穀稈１４は、穂先１４ａに向けて扱かれる。これにより、穀稈１４から穂の部分のみが取られる。なお、このように穀稈１４から取られた穂の部分を、穂切れと称する。
【００２４】
なお、本実施形態の扱胴１６は、上扱ぎ式に回転するように構成されている。即ち、図３に示すように、穀稈１４は上方に向けて扱かれ、当該穀稈１４の穂先１４ａは、扱胴１６の上方を通過するように構成されている。
【００２５】
図２に示すように、扱室１５の搬送方向上流側の端部には、供給口２５が形成されている。穀稈搬送機構１１によって搬送される穀稈１４の穂先１４ａは、供給口２５を介して、扱室１５内に導入される。なお図２に示すように、搬送方向で供給口２５よりも上流側には、当該供給口２５の下縁部に接続する穂先案内プレート２６が配置されている。穀稈１４の穂先１４ａの部分は、穂先案内プレート２６の上面によって供給口２５まで案内される。この構成により、穀稈１４の穂先１４ａを、扱室１５に対して適切に供給することができる。
【００２６】
また本実施形態の脱穀装置１０には、前記供給口２５を扱室１５の内側から塞ぐ逆流防止部材５０が設けられている。このように、供給口２５を逆流防止部材５０によって塞ぐことにより、供給口２５を介して扱室１５の外側に穂切れ等が飛び出すことを防ぎ、脱穀装置１０の効率を向上させることができる。なお、この逆流防止部材５０はゴム板から構成されているので、穀稈１４の穂先１４ａは、逆流防止部材５０を押し退けるようにして進むことができる。
【００２７】
また本実施形態では、図３等に示すように、穀稈搬送機構１１と扱胴１６との間に、穀稈押さえ部材２８が配置されている。穀稈押さえ部材２８は、穀稈１４の搬送方向に略沿って配置された丸パイプである。この穀稈押さえ部材２８は、図３に示すように、穀稈搬送機構１１と扱胴１６の間の穀稈１４に対して、上方から接触するように配置されている。これにより、穀稈１４を扱胴１６に対して押さえ付けることができるので、当該穀稈１４が扱胴１６から浮き上がることを防止し、脱穀を確実に行うことができる。
【００２８】
次に、扱胴１６の回転によって穀稈１４から取り外された穂先（穂切れ）の処理について詳しく説明する。なお、扱室１５内においては、扱胴１６の回転によって、穂切れの他にも、穀粒や藁屑等が発生する。これらの混合物のことを、以下、被処理物と称する。
【００２９】
扱胴１６の回転により発生した被処理物は、当該扱胴１６の回転により、扱胴１６の回転方向下流側に向けて放出される。扱室１５内において、被処理物の落下位置には、穂切れ処理装置２９が配置されている。扱胴１６から放出された被処理物は、穂切れ処理装置２９に投入され、当該穂切れ処理装置２９で処理されて単粒化（穀粒を枝梗から外すこと）される。
【００３０】
穂切れ処理装置２９は、図３及び図４に示すように、処理胴３０と、受網３１と、を備えている。
【００３１】
処理胴３０は、略四角筒状に形成されるとともに、その軸線を回転軸３２として回転駆動されるように構成されている。処理胴３０の回転軸３２は、扱胴１６の回転軸１７と略平行になるように配置されている。なお本実施形態では、図３に矢印で示すように、扱胴１６と処理胴３０は同じ方向に回転駆動される。この処理胴３０は、外向きに突出する複数の処理歯３３を有している。図４に示すように、複数の処理歯３３は、処理胴３０の軸線方向に沿って並んで配置されている。
【００３２】
受網３１は、処理胴３０の下半分を覆うように設けられている。図３に示すように、受網３１は、処理胴３０の軸線方向で見たときに、回転する処理歯３３の先端の軌跡に沿って形成されている。
【００３３】
この構成で、扱胴１６から穂切れ処理装置２９に導入された被処理物は、回転する処理歯３３と、受網３１と、の間で揉み解し作用を受け、単粒化が促進される。脱粒された穀粒は、受網３１を通って、下方に落下する。また、処理胴３０の回転方向で、受網３１の下流側終端には、切歯４９が形成されている。この切歯４９は、処理胴３０の軸線方向に並んで複数形成されている。そして、処理胴３０が回転することにより、切歯４９同士の間を、処理歯３３が通過するように構成されている。これにより、穂切れ処理装置２９に投入された藁屑等が細かく裁断される。細かく裁断された藁屑は、受網３１を通って下方に落下する。
【００３４】
なお、処理胴３０の回転軸３２は、扱胴１６の回転軸１７よりも低い位置となるように配置されている。これにより、扱胴１６から落下する被処理物を、穂切れ処理装置２９で受けとめることができる。
【００３５】
しかし、ただ単に扱胴１６から被処理物を放出しただけでは、一部の被処理物が予期せぬ軌跡を描いて飛んでしまい、穂切れ処理装置２９で受けとめることができない場合がある。例えば、扱胴１６から放出された被処理物が、扱室１５のケーシングの側面を構成する壁面５４（図３）に衝突して跳ね返り、扱胴１６側に戻ってきてしまう場合が考えられる。このように、被処理物が扱胴１６側に戻ってきてしまうと、当該被処理物は、穂切れ処理装置２９に導入されることなく、当該穂切れ処理装置２９と扱胴１６との間を通って落下する。このように、穂切れ処理装置２９に投入されずに落下する被処理物の割合が多くなると、脱穀装置１０全体の効率が低下してしまう。
【００３６】
そこで、処理胴３０よりも扱胴１６の回転方向上流側であって、処理胴３０の上方には、被処理物案内板３５が配置されている。この被処理物案内板３５は、扱胴１６から放出された被処理物が衝突する位置に配置されている。従って、扱胴１６で発生した被処理物は、当該扱胴１６の回転の勢いによって当該扱胴の回転方向下流側に放出されたのち、被処理物案内板３５に衝突する。
【００３７】
被処理物案内板３５は、扱胴１６側を向くの面を、斜め下方に向けて配置されている。従って、扱胴１６から放出された被処理物は、被処理物案内板３５の斜め下方を向いた面に衝突して、当該被処理物案内板３５の下端部が向く方向（斜め下方）に向けて案内される。このように被処理物案内板３５が配置されているので、図３に符号６０で示すように、扱胴１６から放出された被処理物を、被処理物案内板３５によって、穂切れ処理装置２９の処理胴３０まで案内することができる。
【００３８】
また、扱胴１６と処理胴３０との間には、仕切板３４が配置されている。この仕切板３４は、無孔の金属板を折り曲げて形成されている。この仕切板３４の下端部は、受網３１の終端に近接して配置されている。このように仕切板３４を設けることにより、穂切れ処理装置２９内の被処理物が、処理胴３０の回転の勢いによって扱胴１６側に飛び出してしまうことを防止できる。これにより、穂切れ処理装置２９の処理効率を向上させることができる。
【００３９】
なお、前述の被処理物案内板３５は、仕切板３４の直上に配置されている。言い換えると、被処理物案内板３５は、扱胴１６側を向いた面（被処理物を案内する側の面）が、仕切板３４の上端よりも上方を通過するように配置されている。従って、図３の符号６０で示すように、扱胴１６から放出された被処理物は、被処理物案内板３５によって仕切板３４の上方を通過するように案内され、穂切れ処理装置２９へと導入される。
【００４０】
次に、選別装置３６について説明する。
【００４１】
選別装置３６は、扱胴１６及び穂切れ処理装置２９の下方に配置されている。前述のように、扱胴１６で発生した被処理物は、穂切れ処理装置２９で処理されて、受網３１を通って落下する。受網３１から落下する落下物（穀粒、藁屑、穂切れなどの混合物）を、以下の説明では被選別物と称する。受網３１から落下した被選別物は、選別装置３６に投入される。
【００４２】
選別装置３６は、図２に示すように、揺動選別部３７と、風選別部３８とを備えている。
【００４３】
揺動選別部３７は、チャフシーブ３９を備えている。穂切れ処理装置２９の受網３１から落下した被選別物は、まずチャフシーブ３９によって受けとめられる。チャフシーブ３９は、装置の略左右方向に横架された複数のチャフフィン４０を、穀稈１４の搬送方向に複数並べて配置したものである。揺動選別部３７は、チャフシーブ３９を、搬送方向で往復揺動可能に構成されている。即ち、チャフシーブ３９を往復揺動させることで、穀粒等の重くて小さい被選別物はチャフフィン４０の間を通って下に落ち、藁屑などの軽くて大きい被選別物はチャフフィン４０に引っ掛かって残る。
【００４４】
各チャフフィン４０は、その上面が、搬送方向で斜め上流側を向くようにして配置されている。これにより、チャフシーブ３９全体を往復揺動させることで、被選別物が揺動選別されながら搬送方向下流側に向けて搬送されていく。チャフシーブ３９の後端に達するまでの間に大部分の穀粒は落下し、チャフシーブ３９の上には、穂切れや藁屑のみが残る。
【００４５】
次に風選別部３８について説明する。この風選別部３８は、唐箕ファン４１と、グレンシーブ４２と、を備えている。
【００４６】
グレンシーブ４２は網目状のプレス、又はクリンプ網として構成されており、チャフシーブ３９の下方に配置される。またグレンシーブ４２の下方には、スクリューコンベアとして構成された一番コンベア４３が配置されている。前記チャフシーブ３９の粗選別により、当該チャフシーブ３９から落下した重くて小さい被選別物（穀粒等）は、グレンシーブ４２の上に落下する。
【００４７】
唐箕ファン４１は、搬送方向下流向きの選別風を発生させ、当該選別風をグレンシーブ４２に対して下側から当てるように構成されている。
【００４８】
以上の構成で、グレンシーブ４２上に落下した被選別物に対して、唐箕ファン４１が生起する選別風が当てられる。そして、この選別風にかかわらず略垂直に落下する比重の重い物、即ち穀粒は一番物と呼ばれる。一番物は一番コンベア４３に導入され、それ以外の比重の軽いものは搬送方向下流側に向けて吹き飛ばされる。
【００４９】
一番コンベア４３に導入された一番物（穀粒）は、当該一番コンベア４３によって搬送され、例えば図略のグレンタンクに貯蔵される。以上により、被選別物から穀粒を選別して取り出すことができる。
【００５０】
チャフシーブ３９及びグレンシーブ４２の下流側端部下方には、スクリューコンベアとして構成された二番コンベア４４が配置されている。
【００５１】
チャフシーブ３９の上に残った穂切れ、藁屑等は、当該チャフシーブ３９の往復揺動により搬送方向下流側に向けて搬送され、二番コンベア４４に落下する。また、グレンシーブ４２に落下した被処理物のうち、唐箕ファン４１の選別風により吹き飛ばされた穂切れ、藁屑等も、二番コンベア４４に落下する。風選別部３８は、二番コンベア４４に落下する被選別物に対して搬送方向下流側に向けて上向きの風を当てる送風ファン４５を有している。
【００５２】
二番コンベア４４に落下する被選別物のうち、穀粒の付いた穂切れ等は比較的重いので、送風ファン４５の風にもかかわらず落下して二番コンベア４４に導入される。一方、穀粒の付いていない藁屑等は、送風ファン４５の風によって吹き飛ばされ、図略の藁出口から装置の外に排出される。
【００５３】
穀粒の付いた穂切れ等は、再処理を施して穀粒を取り出す余地があるので、回収する価値のあるものである。このように再処理の対象とするものを、二番物と称する。風選別部３８で選別されて二番コンベア４４に導入された二番物は、当該二番コンベア４４によって搬送され、二番還元コンベア４６の端部に供給される。
【００５４】
二番還元コンベア４６は、略上下方向に配設されたスクリューコンベアであり、前記二番物を、穂切れ処理装置２９よりも上方まで搬送するように構成されている。二番還元コンベア４６によって搬送された二番物は、当該二番還元コンベア４６の放出側端部４７から放出される。図４に示すように、前記放出側端部４７には、二番案内通路４８が接続されている。この二番案内通路４８は、穂切れ処理装置２９に連通している。従って、二番還元コンベア４６から放出された二番物は、二番案内通路４８を介して、穂切れ処理装置２９に投入される。以上の構成により、選別装置３６で選別された二番物を、穂切れ処理装置２９によって再処理することができる。
【００５５】
次に、本実施形態の特徴的な構成について説明する。
【００５６】
前述のように、本実施形態の脱穀装置１０は、扱胴１６から放出された被処理物が、穂切れ処理装置２９に投入されて処理される構成である。
【００５７】
ここで、扱胴１６で発生した被処理物が、被処理物案内板３５に対して適切に衝突した場合であれば、図３の符号６０で示すように、当該被処理物を適切に穂切れ処理装置２９に投入することができる。
【００５８】
しかし、現実には、扱胴１６で発生した被処理物の全てがこのように理想的な軌跡を描いて飛ぶわけではない。例えば、扱胴１６で発生した被処理物が被処理物案内板３５以外の部分に衝突した場合、図３の符号６１で示すように予期せぬ方向に跳ね返ってしまう。また例えば、扱胴１６で発生した被処理物の勢いが足りない場合、図３の符号６２で示すように、被処理物案内板３５に衝突することなく落下することもある。被処理物が理想的な軌跡を描いて飛ばなかった場合（例えば図３の符号６１，６２で示すような軌跡で飛んだ場合）、一部の被処理物は穂切れ処理装置２９に入ることができず、処理胴３０と扱胴１６との間を通って落下してしまう。穂切れ処理装置２９に投入されずに落下した被処理物は、未処理のまま選別装置３６に投入されることになるため、選別装置３６の効率低下の原因となり、ひいては脱穀装置１０全体の効率低下につながる。
【００５９】
特に、本実施形態の脱穀装置１０は、処理胴３０と扱胴１６との間に仕切板３４が配置されているので、扱胴１６から処理胴３０へと向かう通路が狭くなっており、被処理物が穂切れ処理装置２９に入りにくくなっている。即ち、扱胴１６で発生した被処理物は、穂切れ処理装置２９に入るために、仕切板３４の上方を通過しなければならない。従って、扱胴１６で発生した被処理物が、例えば図３の符号６１，６２で示すような軌跡で飛んだ場合、仕切板３４の上方を通過できないので、そのままでは穂切れ処理装置２９に入ることができず、処理胴３０と扱胴１６との間を通って落下してしまう。
【００６０】
そこで本実施形態の脱穀装置１０は、扱胴１６で発生した被処理物を上面で受けとめて穂切れ処理装置２９へと案内する案内部６３を設けたものである。
【００６１】
この案内部６３は、扱胴１６と処理胴３０との間に配置されている。より正確に言うと、図３に示すように、処理胴３０の回転軸３２方向で見たときに、扱胴１６の回転軸１７の中心を通る鉛直線と、処理胴３０の回転軸３２の中心を通る鉛直線と、の間に案内部６３が配置されている。案内部６３は、扱胴１６の回転方向で、処理胴３０よりも上流側に配置されている。また、案内部６３は、扱胴１６の外周の上端よりも低い位置であって、かつ、処理胴３０の外周の上端よりも高い位置に配置されている。以上のように、扱胴１６と処理胴３０との間に案内部６３を配置しているので、扱胴１６と処理胴３０との間を通って落下しようとする被処理物を、案内部６３の上面によって受けとめることができる。
【００６２】
本実施形態において、案内部６３は一枚の金属板であり、その上面は略平滑に形成されて案内面６３ａを構成している。図３に示すように、処理胴３０の回転軸３２方向で見たときに、案内部６３の案内面６３ａは、斜めに配置されている。より具体的には、案内面６３ａの処理胴３０側の端部が、扱胴１６側の端部よりも低くなるように、当該案内面６３ａが水平面に対して斜めになっている。このように、案内面６３ａは、処理胴３０側が低くなるように傾いて配置されているので、案内面６３ａによって受けとめられた被処理物は、処理胴３０に向けて自然に案内される。
【００６３】
また、この案内部６３は、扱歯２２に干渉しないようにするために、扱歯２２の先端の回転軌跡６４よりも外側に配置されている。ただし、図３に示すように、案内部６３は、案内面６３ａの扱胴１６側の端部を、扱歯２２の回転軌跡６４に対して可能な限り近接させて配置している。一方図３に示すように、案内面６３ａの処理胴３０側の端部は、仕切板３４の上端に接続するように配置されている。案内面６３ａがこのように配置されているので、当該案内面６３ａによって案内される被処理物は、仕切板３４の上方を通過することができる。この結果、当該案内面６３ａによって受けとめられた被処理物を、穂切れ処理装置２９内へと導入することができる。
【００６４】
以上で説明したように、本実施形態の脱穀装置１０は、扱胴１６と、処理胴３０と、案内部６３と、を備える。扱胴１６は、略水平に設定された回転軸１７を中心として上扱ぎ式に回転するとともに、外周に複数の扱歯２２を有する。処理胴３０は、扱胴１６の回転軸１７と略平行で、かつ回転軸１７よりも低い位置に設定された回転軸３２を中心として回転するとともに、外周に複数の処理歯３３を有する。案内部６３は、扱胴１６で発生した被処理物を、その上面（案内面６３ａ）で受けとめて処理胴３０に向けて案内する。
【００６５】
このように案内部６３を設けることにより、扱胴１６で発生した被処理物を、未処理のまま落下する前に受けとめて、処理胴３０まで案内することができる。これにより、被処理物が処理胴３０で処理されないまま落下することを防止できるので、脱穀装置１０の処理効率を向上させることができる。
【００６６】
また、本実施形態の脱穀装置１０は、以下のように構成されている。即ち、案内部６３は、処理胴３０の外周よりも高い位置に配置される。また、当該案内部６３の上面（案内面６３ａ）は、処理胴３０側の端部が、扱胴１６側の端部よりも低い位置となるように、斜めに配置される。
【００６７】
このように、案内部６３を、処理胴３０に向けて斜めに配置することにより、当該案内部６３の上面（案内面６３ａ）で受けとめた被処理物を、処理胴３０に向けて自然に案内することができる。
【００６８】
また、本実施形態の脱穀装置１０は、以下のように構成されている。即ち、脱穀装置１０は、扱胴１６と処理胴３０との間に配置された仕切板３４を備える。案内部６３の上面（案内面６３ａ）の処理胴３０側の端部は、仕切板３４の上端部分に接続するように配置されている。
【００６９】
このように仕切板３４を設けることにより、処理胴３０から扱胴１６に向けて被処理物が飛び出しにくくなるので、処理胴３０の処理効率を向上させることができる。なお、このように仕切板３４を設けた場合、扱胴１６から処理胴３０へと向かう被処理物の通路が狭くなってしまうが、案内面６３ａを上記のように配置したことで、当該案内面６３ａによって案内される被処理物は仕切板３４の上方を通過できる。従って、被処理物を処理胴に対して確実に供給することができる。
【００７０】
以上に本発明の好適な実施の形態を説明したが、上記の構成は例えば以下のように変更することができる。
【００７１】
本発明の脱穀装置は、据え置きの脱穀装置、ハーベスタ内蔵の脱穀装置、コンバイン内蔵の脱穀装置など、様々な脱穀装置に適用することができる。
【００７２】
仕切板３４、被処理物案内板３５等は省略することもできる。
【００７３】
案内部６３は金属板で構成されるとして説明したが、上面で被処理物を受けとめることができる構成であれば、その素材や形状は特に限定されない。
【００７４】
また、図３に示す案内部６３と仕切板３４が一体的に形成された構成としても良い。具体的には、仕切板３４の上端を扱胴１６側に向けて折り曲げることにより、案内部６３を形成することができる。これによれば、案内部６３を簡単に形成可能であり、しかも仕切板３４の上端部に案内部６３が接続した状態で形成することができる。
【００７５】
案内部６３は仕切板３４の上端に接続するように配置されているとして説明したが、これに限らず、案内部６３と仕切板３４は離間していても良い。即ち、案内面６３ａで案内される被処理物が仕切板３４の上方を通過することができれば良いのであるから、案内面６３ａが仕切板３４よりも上方を通過するように配置されていれば良く、必ずしも両者が接続するように配置されていなくても良い。
【符号の説明】
【００７６】
１０  脱穀装置
１６  扱胴
２２  扱歯
３０  処理胴
３３  処理歯
３４  仕切板
６３  案内部
【図１】
2013046590.tif 000003
【図２】
2013046590.tif 000004
【図３】
2013046590.tif 000005
【図４】
2013046590.tif 000006
【図５】
2013046590.tif 000007